(57)【要約】【目的】セルフプリント形式によるプリントでの料金決済が簡便であり、しかも映像記憶媒体とは別なる決済手段によって料金決済が可能な情報端末装置及び画像プリントシステム並びにこれらに用いられる無線ＩＣチップを提供することである。【構成】装填された映像記憶媒体内に記憶されている画像のプリント指定操作が可能な情報端末装置であって、前記プリント指定操作の決済をユーザーが携帯する無線ＩＣチップに記憶されている決済情報に基づき行い、前記プリント指定操作に応じて無線ＩＣチップ内の決済情報を書き換える構成を有することを特徴とする情報端末装置である。【選択図】        図１
2006018653.tif 000002
【特許請求の範囲】
【請求項１】
装填された映像記憶媒体内に記憶されている画像のプリント指定操作が可能な情報端末装置であって、前記プリント指定操作の決済をユーザーが携帯する無線ＩＣチップに記憶されている決済情報に基づき行い、前記プリント指定操作に応じて無線ＩＣチップ内の決済情報を書き換える構成を有することを特徴とする情報端末装置。
【請求項２】
書き換える無線ＩＣチップ内の決済情報を、情報端末装置の管理用コンピューターに送信する構成を有することを特徴とする請求項１に記載の情報端末装置。
【請求項３】
無線ＩＣチップ内の決済情報を書き換える際に、下記（１）〜（４）のエラーの少なくとも１つ及び／又はその他の予め設定されたエラーが発生した場合に画像のプリント指定操作が中止され、情報端末装置内に読み込まれた映像記憶媒体からの情報が消去される構成を有することを特徴とする請求項１又は２に記載の情報端末装置。
（１）規定された操作時間を超過
（２）無線ＩＣチップ及び／又は映像記憶媒体からの読み取りエラー
（３）無線ＩＣチップ内の残高不足
（４）不正使用
【請求項４】
前記（１）〜（４）のエラーの内、（３）残高不足であった場合に他の支払い手段を選択することで画像のプリント指定操作が継続される構成を有することを特徴とする請求項３に記載の情報端末装置。
【請求項５】
無線ＩＣチップの決済情報書き換え時にエラーが発生した場合、該エラー情報を送信及び／又は表示して情報端末装置外へ知らせる構成を有することを特徴とする請求項１〜４のいずれかに記載の情報端末装置。
【請求項６】
情報端末装置による操作終了から所定時間経過した場合に、及び／又は無線ＩＣチップが情報端末装置の操作エリアから離れた場合に、該情報端末装置に映像記憶媒体が装填されたままの場合には該映像記憶媒体の取り忘れをユーザーに警告する構成を有することを特徴とする請求項１〜５のいずれかに記載の情報端末装置。
【請求項７】
情報端末装置による操作終了から所定時間経過した場合に、及び／又は無線ＩＣチップが情報端末装置の操作エリアから離れた場合に、該情報端末装置に映像記憶媒体が装填されたままの場合には該映像記憶媒体の取り忘れ情報を送信及び／又は表示して情報端末装置外に警告する構成を有することを特徴とする請求項１〜６のいずれかに記載の情報端末装置。
【請求項８】
無線ＩＣチップ及び／又は映像記憶媒体の情報に基づき、ユーザー情報を情報端末装置外へ送信することを特徴とする請求項５又は７に記載の情報端末装置。
【請求項９】
装填された映像記憶媒体内に記憶されている画像のプリント指定操作が可能な情報端末装置が、ユーザーが携帯する無線ＩＣチップと送受信するゲートを配設したエリア内に設置されており、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れをユーザーに警告する構成を有することを特徴とする情報端末装置。
【請求項１０】
装填された映像記憶媒体内に記憶されている画像のプリント指定操作が可能な情報端末装置が、ユーザーが携帯する無線ＩＣチップと送受信するゲートを配設したエリア内に設置されており、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れ情報を送信及び／又は表示して情報端末装置外に警告する構成を有することを特徴とする情報端末装置。
【請求項１１】
無線ＩＣチップ及び／又は映像記憶媒体の情報に基づき、ユーザー情報を情報端末装置外へ送信することを特徴とする請求項１０に記載の情報端末装置。
【請求項１２】
請求項１〜８のいずれかに記載の情報端末装置と、該情報端末装置に装填されるユーザーが携帯する少なくとも記憶又は書換え可能な映像記憶媒体と、ユーザーが携帯する無線ＩＣチップとを有して成る組合せであって、前記映像記憶媒体内に記憶されている画像のプリント指定操作が前記情報端末装置により行われ、前記無線ＩＣチップに記憶されている決済情報に基づき前記プリント指定操作の決済が前記情報端末装置により行われ、前記プリント指定操作に応じて前記無線ＩＣチップ内の決済情報が書き換えられる構成を有することを特徴とする画像プリントシステム。
【請求項１３】
請求項９に記載の情報端末装置と、該情報端末装置に装填されるユーザーが携帯する少なくとも記憶又は書換え可能な映像記憶媒体と、ユーザーが携帯する無線ＩＣチップと、該無線ＩＣチップと送受信するゲートとを有して成る組合せであって、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れをユーザーに警告する構成を有することを特徴とする画像プリントシステム。
【請求項１４】
請求項１０又は１１に記載の情報端末装置と、該情報端末装置に装填されるユーザーが携帯する少なくとも記憶又は書換え可能な映像記憶媒体と、ユーザーが携帯する無線ＩＣチップと、該無線ＩＣチップと送受信するゲートとを有して成る組合せであって、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れ情報を送信及び／又は表示して情報端末装置外に警告する構成を有することを特徴とする画像プリントシステム。
【請求項１５】
請求項１〜８のいずれかに記載の情報端末装置に用いられる無線ＩＣチップであって、装填された映像記憶媒体内に記憶されている画像を前記情報端末装置によってプリント指定操作する場合に、該プリント指定操作の決済が可能な決済情報が記憶及び／又は書き換えられる構成を有することを特徴とする無線ＩＣチップ。
【請求項１６】
請求項９〜１１のいずれかに記載の情報端末装置に用いられると共に、該情報端末装置が設置されているエリアに配設されたゲートと送受信する無線ＩＣチップであって、前記情報端末装置によるプリント指定操作を行ったユーザーが前記情報端末装置に映像記憶媒体を装填したままの状態で前記エリア外へ出る可能性又はその事態を検知可能な構成を有することを特徴とする無線ＩＣチップ。
【発明の詳細な説明】
【技術分野】
【０００１】
本発明は情報端末装置及び画像プリントシステム並びに無線ＩＣチップに関し、詳しくは映像記憶媒体に記憶された画像のプリントを行う情報端末装置及び画像プリントシステム並びにこれらに用いられる無線ＩＣチップに関する。
【背景技術】
【０００２】
デジタルカメラの普及に伴い、映像記憶媒体からのプリントが増えている。映像記憶媒体に記憶されている画像データからのプリントは、従来の写真店経由で行われる他、コンビニエンスストアや量販店等に設置されている情報端末装置による、所謂セルフプリント形式による方式が普及し出している。
【０００３】
セルフプリント形式によるプリントでは料金決済の簡便化が求められており、料金決済をクレジットカードで行う技術（特許文献１参照）や、映像記憶媒体にプリペイドカード機能を付与する技術（特許文献２参照）等が提案されているが、現状ではユーザーが情報端末装置に料金を投入する方式が最も一般的となっている。
【０００４】
【特許文献１】特開２００３−１４１２４１号
【特許文献２】特開２００２−１０９６３１号
【発明の開示】
【発明が解決しようとする課題】
【０００５】
特許文献１は、ユーザー本人による情報端末装置の操作時に、映像記憶媒体とクレジットカードという何れも機密扱いを要する２枚をほぼ同時に取り扱う必要があり、手軽に且つ気軽に利用するには不都合がある。
【０００６】
特許文献２は、映像記憶媒体とプリペイドカードとを１枚で兼用するため操作性は改善されているが、規格の異なる映像記憶媒体の全種類において安全性の確認を行う必要がある等、実用化には種々の障害がある。また、プリントを所望する映像記憶媒体は１枚とは限らないし、いつも同じものとは限らないので、１枚で兼用する構成では不都合が多い。
【０００７】
本発明は、セルフプリント形式によるプリントでの料金決済が簡便であり、しかも映像記憶媒体とは別なる決済手段によって料金決済が可能な情報端末装置及び画像プリントシステム並びにこれらに用いられる無線ＩＣチップを提供することを課題とする。
【課題を解決するための手段】
【０００８】
上記課題を解決する本発明は下記構成を有する。
【０００９】
１．装填された映像記憶媒体内に記憶されている画像のプリント指定操作が可能な情報端末装置であって、前記プリント指定操作の決済をユーザーが携帯する無線ＩＣチップに記憶されている決済情報に基づき行い、前記プリント指定操作に応じて無線ＩＣチップ内の決済情報を書き換える構成を有することを特徴とする情報端末装置。
【００１０】
２．書き換える無線ＩＣチップ内の決済情報を、情報端末装置の管理用コンピューターに送信する構成を有することを特徴とする上記１に記載の情報端末装置。
【００１１】
３．無線ＩＣチップ内の決済情報を書き換える際に、下記（１）〜（４）のエラーの少なくとも１つ及び／又はその他の予め設定されたエラーが発生した場合に画像のプリント指定操作が中止され、情報端末装置内に読み込まれた映像記憶媒体からの情報が消去される構成を有することを特徴とする上記１又は２に記載の情報端末装置。
（１）規定された操作時間を超過
（２）無線ＩＣチップ及び／又は映像記憶媒体からの読み取りエラー
（３）無線ＩＣチップ内の残高不足
（４）不正使用
【００１２】
４．前記（１）〜（４）のエラーの内、（３）残高不足であった場合に他の支払い手段を選択することで画像のプリント指定操作が継続される構成を有することを特徴とする上記３に記載の情報端末装置。
【００１３】
５．無線ＩＣチップの決済情報書き換え時にエラーが発生した場合、該エラー情報を送信及び／又は表示して情報端末装置外へ知らせる構成を有することを特徴とする上記１〜４のいずれかに記載の情報端末装置。
【００１４】
６．情報端末装置による操作終了から所定時間経過した場合に、及び／又は無線ＩＣチップが情報端末装置の操作エリアから離れた場合に、該情報端末装置に映像記憶媒体が装填されたままの場合には該映像記憶媒体の取り忘れをユーザーに警告する構成を有することを特徴とする上記１〜５のいずれかに記載の情報端末装置。
【００１５】
７．情報端末装置による操作終了から所定時間経過した場合に、及び／又は無線ＩＣチップが情報端末装置の操作エリアから離れた場合に、該情報端末装置に映像記憶媒体が装填されたままの場合には該映像記憶媒体の取り忘れ情報を送信及び／又は表示して情報端末装置外に警告する構成を有することを特徴とする上記１〜６のいずれかに記載の情報端末装置。
【００１６】
８．無線ＩＣチップ及び／又は映像記憶媒体の情報に基づき、ユーザー情報を情報端末装置外へ送信することを特徴とする上記５又は７に記載の情報端末装置。
【００１７】
９．装填された映像記憶媒体内に記憶されている画像のプリント指定操作が可能な情報端末装置が、ユーザーが携帯する無線ＩＣチップと送受信するゲートを配設したエリア内に設置されており、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れをユーザーに警告する構成を有することを特徴とする情報端末装置。
【００１８】
１０．装填された映像記憶媒体内に記憶されている画像のプリント指定操作が可能な情報端末装置が、ユーザーが携帯する無線ＩＣチップと送受信するゲートを配設したエリア内に設置されており、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れ情報を送信及び／又は表示して情報端末装置外に警告する構成を有することを特徴とする情報端末装置。
【００１９】
１１．無線ＩＣチップ及び／又は映像記憶媒体の情報に基づき、ユーザー情報を情報端末装置外へ送信することを特徴とする上記１０に記載の情報端末装置。
【００２０】
１２．上記１〜８のいずれかに記載の情報端末装置と、該情報端末装置に装填されるユーザーが携帯する少なくとも記憶又は書換え可能な映像記憶媒体と、ユーザーが携帯する無線ＩＣチップとを有して成る組合せであって、前記映像記憶媒体内に記憶されている画像のプリント指定操作が前記情報端末装置により行われ、前記無線ＩＣチップに記憶されている決済情報に基づき前記プリント指定操作の決済が前記情報端末装置により行われ、前記プリント指定操作に応じて前記無線ＩＣチップ内の決済情報が書き換えられる構成を有することを特徴とする画像プリントシステム。
【００２１】
１３．上記９に記載の情報端末装置と、該情報端末装置に装填されるユーザーが携帯する少なくとも記憶又は書換え可能な映像記憶媒体と、ユーザーが携帯する無線ＩＣチップと、該無線ＩＣチップと送受信するゲートとを有して成る組合せであって、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れをユーザーに警告する構成を有することを特徴とする画像プリントシステム。
【００２２】
１４．上記１０又は１１に記載の情報端末装置と、該情報端末装置に装填されるユーザーが携帯する少なくとも記憶又は書換え可能な映像記憶媒体と、ユーザーが携帯する無線ＩＣチップと、該無線ＩＣチップと送受信するゲートとを有して成る組合せであって、該情報端末装置によるプリント指定操作を行ったユーザーが前記情報端末装置に映像記憶媒体を装填したままの状態で前記エリア外へ出る可能性又はその事態が生じた場合に映像記憶媒体の取り忘れ情報を送信及び／又は表示して情報端末装置外に警告する構成を有することを特徴とする画像プリントシステム。
【００２３】
１５．上記１〜８のいずれかに記載の情報端末装置に用いられる無線ＩＣチップであって、装填された映像記憶媒体内に記憶されている画像を前記情報端末装置によってプリント指定操作する場合に、該プリント指定操作の決済が可能な決済情報が記憶及び／又は書き換えられる構成を有することを特徴とする無線ＩＣチップ。
【００２４】
１６．上記９〜１１のいずれかに記載の情報端末装置に用いられると共に、該情報端末装置が設置されているエリアに配設されたゲートと送受信する無線ＩＣチップであって、前記情報端末装置によるプリント指定操作を行ったユーザーが前記情報端末装置に映像記憶媒体を装填したままの状態で前記エリア外へ出る可能性又はその事態を検知可能な構成を有することを特徴とする無線ＩＣチップ。
【００２５】
本明細書において、「プリント指定操作」とは、映像記憶媒体内に記憶されている画像（情報）中、プリントすべき画像を情報端末装置に指示し、プリントすべき設定を行う一連の操作をいうものであり、当該操作は、タッチパネル、キーボード、音声等の１又は２以上の組合せのいずれの手段によってもよい。
【発明の効果】
【００２６】
請求項１、１２又は１５に示す本発明によれば、セルフプリント形式によるプリント指定操作のみで決済が可能であり、従来、プリント指定操作、決済操作と二行程の操作が必要であったものが一行程で済ませられるので、操作性が向上する。
【００２７】
請求項２に示す本発明によれば、決済情報を管理用コンピューターに送信する構成を有するので、本部等で一元管理されるだけでなく、ユーザーが無線ＩＣチップを万一紛失したとしてもバックアップされるので安心且つ安全である。
【００２８】
請求項３に示す本発明によれば、エラー発生時に情報端末装置に読み込まれた情報を消去する構成を有するので、ユーザーの機密を保つことができると共に、次に利用するユーザーが新規な画面にて操作を開始できるので迷惑がかかることが無い。
【００２９】
請求項４に示す本発明によれば、残高不足であった場合でも他の支払い手段で支払い可能な構成を有するので、他の支払い手段（現金やクレジットカード等）を選択して支払ってプリント指定操作を続行することができる。
【００３０】
請求項５に示す本発明によれば、決済時にエラーが発生した場合にエラー情報を情報端末装置外へ知らせる構成を有するので、店員・係員等により現場で即時にエラーに対処することができる。
【００３１】
請求項６、７、９、１０、１３、１４又は１６に示す本発明によれば、ユーザーが映像記憶媒体を情報端末装置に入れたまま取り忘れた場合に、ユーザー又は情報端末装置外へ知らせる構成を有するので、映像記憶媒体を紛失してしまったり、第三者に渡ってしまうことを防止することができる。
【００３２】
請求項８又は１１に示す本発明によれば、取り忘れたユーザーの無線ＩＣチップ及び／又は映像記憶媒体の情報に基づき、ＩＤ情報等のユーザー情報を情報端末装置外へ送信する構成を有するので、取り忘れたユーザーを特定できるので店員・係員等の細やかな対応がより容易となり好ましい。
【発明を実施するための最良の形態】
【００３３】
以下、本発明を実施するための最良の形態の一例について図面に基づき説明する。
図１は本発明の情報端末装置の一実施例を示す概略斜視図、図２は本発明の情報端末装置の制御系の一実施例を示すブロック図、図３及び図４は本発明の画像プリントシステムの一実施例を説明するフロー図、図５は本発明が適用される店舗の一実施例を示すレイアウト図である。
【００３４】
図１に示す情報端末装置１は、ユーザーが携帯する少なくとも記憶又は書換え可能な映像記憶媒体に記憶されている画像のプリント指定操作を行い、該映像記憶媒体と共にユーザーが携帯する無線ＩＣチップ８に記憶されている決済情報に基づき前記プリント指定操作の決済を行う装置であり、前記プリント指定操作に応じて無線ＩＣチップ８内の決済情報を書き換える構成を有するものである。
【００３５】
図１において、情報端末装置１は、各種操作内容や画像情報確認等が説明・表示される表示部であると共に各種操作を行うタッチパネル部でもある画面部２と、ユーザーが携帯していた映像記憶媒体がプリント指定操作のために装填される媒体読取部３と、無線ＩＣチップ８と送受信して各種情報の読み取り及び／又は書き込みを行うリーダー／ライター部４と、無線ＩＣチップ８以外による決済用のベンディング部５と、プリント取出口６を有して構成されている。その他、画像読取手段、画像編集手段、プリント手段、その他の各種制御手段等、この種の情報端末装置に用いられる具体的構成としては公知公用の構成、例えば、前述した特許文献２に記載されている構成を特別の制限なく適用できる。
【００３６】
情報端末装置１は、図２に示すようにＣＰＵによって、画面部２（表示部、タッチパネル）、媒体読取部３、無線ＩＣチップ８と送受信するリーダー／ライター部４、無線ＩＣチップ８による決済とベンディング部５からの無線ＩＣチップ８以外の支払い手段による決済を行う決済部、ハードディスク、プリント手段であるプリンター部、ＲＡＭ、ＲＯＭ、映像記憶媒体から画像を読み取ると共にプリント指定操作により読み取った画像の各種設定処理を行う画像処理部、の各機能が制御されると共にネットワークインターフェースを介して情報端末装置１の外部においてネットワークされる管理用コンピューターによって各機能及び各情報が管理される。尚、プリント手段はネットワークを介して外部のプリンターによってプリントする構成であっても構わない。
【００３７】
本発明に用いられる無線ＩＣチップ８について説明する。尚、「無線ＩＣチップ」という呼び方の他、「無線チップ」、「非接触ＩＣチップ」、「ＩＣタグ」、「無線タグ」、「ＲＦＩＤタグ」、「非接触ＩＣカード」など様々な呼び方がある。本発明はいずれのものであってもよい。
【００３８】
本発明では、片面電極に限らず両面電極の構造を有するものであってもよく、具体的には、オムロン社製Ｖ７２０−Ｄ５２Ｐ０１、Ｖ７２０−Ｄ５２Ｐ０２、Ｖ７２０−Ｄ５２Ｐ０３、Ｖ７２０−Ｄ５２Ｐ０４、ＩＣを搭載した日立社製「ミューチップ」、凸版印刷社製「Ｔ−ジャンクション」、ＹＲＰ・ユビキタスネットワークワーキング研究所と東大阪村研究室及びルネサンステクノロジが共同開発した「ｅトロン／１６−ＡＥ４５Ｘ」等が挙げられる。
【００３９】
無線ＩＣチップ８としては書換可能なＲＡＭ方式と読み出し専用のＲＯＭ方式とがあるが、本発明では、決済情報の書き換えが可能なＲＡＭ方式が採用される。
【００４０】
無線ＩＣチップ８に記憶される情報としては、この無線ＩＣチップ８のＩＤ、ユーザー情報（氏名・年齢・住所・連絡先・Ｅｍａｉｌアドレス等）、決済情報（デポジット残高、購入ポイント累積値等）等である。無線ＩＣチップ８の購入や該無線ＩＣチップ８内にデポジットされる金額については、情報端末装置を設置している店舗や管理する企業等に対応したり、或いは情報端末装置に入金機能を付与する構成としても対応可能である。
【００４１】
本発明において無線ＩＣチップ８は、携帯に適したカード状のものに搭載されていることが好ましく、カード状のものとしては、例えば、名刺タイプ、クレジットカードタイプ、ネックストラップ等によって首から下げられるＩＤカードタイプ等が挙げられる。
【００４２】
本発明に用いられる少なくとも記憶又は書換え可能な映像記憶媒体とは、ＳＤカードの如き標準規格化されているメモリーカードであり、ＳＤカードの他、ｍｉｎｉＳＤカード、メモリースティック、メモリースティックＰＲＯ、メモリースティックＤＵＯ、コンパクトフラッシュ、マイクロドライブ、ｘＤピクチャーカード、スマートメディア等に代表されるフラッシュメモリを記憶媒体とするメモリーカード等である。
【００４３】
本発明では、映像記憶媒体に記憶されている画像のプリント指定操作を行う構成においては基本的には従来公知公用のセルフプリント形式の構成を有する情報端末装置によって行うが、かかるプリント指定操作の料金決済にユーザーが携帯する無線ＩＣチップ８を利用するものであり、決済を行う構成、即ち、無線ＩＣチップ８と送受信して決済情報の読み取りと書き換えを行う構成が付加された情報端末装置となっている。
【００４４】
以下、図３及び図４に基づき本発明の情報端末装置１の利用の流れ、即ち、本発明の画像プリントシステムの一実施例を説明する。
【００４５】
先ず、無線ＩＣチップ８及び映像記憶媒体を携帯するユーザーが情報端末装置１の前に立ち初期画面Ｓ１０１を見て操作を開始する。
【００４６】
次にＳ１０２で無線ＩＣチップ８の読取を促す表示が画面部２になされるので、無線ＩＣチップ８をリーダー／ライター部４に接近ないしは接触させ（用いられる無線ＩＣチップ８の送受信能力等の仕様によって異なる。接触させることなくポケットや鞄に収納したままでも送受信可能であっても構わない。）、該無線ＩＣチップ８内の情報（ユーザー情報や残高情報等）を情報端末装置１に読み取らせる。
【００４７】
Ｓ１０３で無線ＩＣチップ８の読取動作の確認において、ユーザーが操作を辞める等して読取が行われない場合（Ｎｏ）は、規定時間を超過すると（Ｓ２０１）、プリント手段がスタンバイ状態へ戻る指示がなされ（Ｓ２０２）、スタンバイとなる（Ｓ２０３）。Ｓ２０１でユーザーが操作を続ける意思がある場合はＳ１０２の状態に戻り、無線ＩＣチップ８を読み取らせることとなる。
【００４８】
無線ＩＣチップ８の読取動作でエラーが発生した場合は、Ｓ１０４で再読取を促され、再読取でもエラーの場合（Ｙｅｓ）は、管理用コンピューターにエラー情報が送信される（Ｓ３０１）と共にエラー表示される（Ｓ３０２）。操作は中止となる（Ｓ３０３）。
【００４９】
Ｓ１０４で、無線ＩＣチップ８が適正に読み取られエラーではなかった場合（Ｎｏ）は、画面に無線ＩＣチップ８に記憶されている情報に基づきユーザー情報が表示され（Ｓ１０５）、確認及び／又は設定・変更等の必要事項が促される（Ｓ１０６）。設定・入力等が必要な時は適宜操作が行われる。
【００５０】
媒体読取部３への映像記憶媒体の装填を促す表示（Ｓ１０７）に基づき装填する。
【００５１】
映像記憶媒体が規定時間以内に装填されない場合（Ｓ４０１）、ユーザーが操作を辞める等してそのまま装填されない場合（Ｙｅｓ）は、プリント手段がスタンバイ状態へ戻る指示がなされ（Ｓ２０２）、スタンバイとなる（Ｓ２０３）。Ｓ４０１で規定時間内の場合（Ｎｏ）は、Ｓ１０７で映像記憶媒体の装填を促す表示が継続される。
【００５２】
装填された映像記憶媒体のエラーの確認において（Ｓ１０９）、読取不良等のエラーが発生した場合（Ｙｅｓ）は、管理用コンピューターにエラー情報が送信される（Ｓ５０１）と共に情報端末装置１の画面部２にエラー表示される（Ｓ５０２）。操作は中止となる（Ｓ５０３）。
【００５３】
Ｓ１０９で、映像記憶媒体が適正に装填され、且つ読取エラーがなかった場合（Ｎｏ）は、内部に記憶されている画像が読み取られ、画面部２にインデックス表示される（Ｓ１１０）と共に、画像の選択・枚数指定・サイズ指定等の各種プリント指定操作（プリント設定操作）を促す表示（Ｓ１１１）に基づきユーザーはプリントすべき画像を指定し、指定した画像に対して各種設定を指示する。
【００５４】
プリント指定操作（プリント設定操作）の完了の確認において（Ｓ１１２）、一定時間（例えば、３分間）を越えない限り（Ｓ６０１でＮｏ）、Ｓ１１１のプリント指定操作（プリント設定操作）を促す表示は継続されるが、一定時間を越えてプリント指定操作（プリント設定操作）がなされない場合（Ｓ６０１でＹｅｓ）は、Ｓ６０２で映像記憶媒体の装填状態が確認される。映像記憶媒体がユーザーによって抜き取られて既に装填されてない場合（Ｎｏ）には、プリント手段がスタンバイ状態へ戻る指示がなされ（Ｓ２０２）、スタンバイとなる（Ｓ２０３）。
【００５５】
Ｓ６０２で、映像記憶媒体が装填されてる場合（Ｙｅｓ）は、ユーザーが操作を続ける意思が無いのに映像記憶媒体が装填されている状態を映像記憶媒体の取り忘れと判断され、この取り忘れをユーザーと管理用コンピューターの少なくともいずれかに警告して知らせる。警告によって取り忘れに気付いたユーザー又は管理用コンピューターを介して取り忘れを知った店員や係員が映像記憶媒体を抜き取るまで、Ｓ６０２により映像記憶媒体の装填状態が確認され、Ｓ６０３により警告が発せられる。尚、この取り忘れに対する警告については更に後述する。
【００５６】
Ｓ１１２でプリント指定操作（プリント設定操作）が完了（Ｙｅｓ）すると、Ｓ１１３で決済の表示がなされ、無線ＩＣチップ８により決済を促す表示がなされる。
【００５７】
Ｓ１１４で無線ＩＣチップ８以外の支払いを行うかどうかの選択が促され、他の支払手段を選択（Ｙｅｓ）することもでき、その場合にはベンディング部５を用いて現金やクレジットカードによる支払いが行われ（Ｓ１３０）、後述するＳ１１８へ操作が続くこととなる。
【００５８】
Ｓ１１４で他の支払い手段を選ばず（Ｎｏ）に無線ＩＣチップ８による決済とした場合は、Ｓ１１５で無線ＩＣチップ８をリーダー／ライター部４に接近ないしは接触させる。即ち、プリントすべき画像の選択や設定が完了した状態において（Ｓ１１２でＹｅｓ）、積極的に他の支払手段を選択しない限り、無線ＩＣチップ８をリーダー／ライター部４に接触させるという一つの動作で、プリント指示と決済が完了するため、操作がシンプルで、煩わしさが全くない。尚、もし無線ＩＣチップ８が接触させることなくポケットや鞄に収納したままでも送受信可能である場合には、ユーザーのボタン操作（一操作）でプリント指示と決済を完了させるようにする。
【００５９】
Ｓ１１６で無線ＩＣチップ８内の情報（デポジット残高等）に基づき決済可能であるかが判断され、可能な場合はＳ１１７で決済が行われる。該決済により無線ＩＣチップ８内の決済情報が書き換えられる。決済情報は、情報端末装置１と無線ＩＣチップ８間だけでなく、情報端末装置１の管理コンピューターへも送信されて本部等で一元管理されることが好ましい。これにより、ユーザーが無線ＩＣチップ８を万一紛失したとしてもバックアップされるので安心且つ安全である。
【００６０】
無線ＩＣチップ８を読み取る際、或いは決済情報を書き換える際に、エラーが発生した場合には画像のプリント指定操作が中止され、情報端末装置１内のハードディスクやＲＡＭに読み込まれた映像記憶媒体からの画像が消去される（Ｓ７０２），（Ｓ９０１）。中止されることによりユーザーは情報端末装置を離れるが、この際に該ユーザーの各種情報を消去することで該ユーザーの機密を保つことができると共に、次に利用するユーザーが新規な画面にて操作を開始できるので迷惑がかかることが無い。エラーとしては下記（１）〜（４）及び／又はその他の予め設定されたエラーが挙げられ、少なくとも１つが発生した場合にプリント指定操作は中止される。
（１）規定された操作時間を超過（Ｓ７０１）
（２）無線ＩＣチップ８及び／又は映像記憶媒体からの読み取りエラー
（３）無線ＩＣチップ８内の残高不足（Ｓ８０１）
（４）不正使用
【００６１】
上記（１）は、１ユーザーによって１台の情報端末装置が不必要に長時間独占使用されるのを防止するためである。規定時間超過後（Ｓ７０１）、操作は中止となる（Ｓ７０２）。その後、Ｓ６０２において映像記憶媒体の取り忘れの確認が行われる。
【００６２】
上記（２）は、無線ＩＣチップ８と映像記憶媒体のいずれかが読み取りできない場合、プリント指定操作が不可能となるからである。無線ＩＣチップ８のみ読み取りエラーとなった場合には、他の支払手段（現金やクレジットカード等）を選択して支払い可能とすることで、操作中止とならずにプリント指定操作を続行する構成とすることが好ましい。支払いが無い場合は操作は中止となる。
【００６３】
上記（３）の残高不足であった場合は、Ｓ８０１で他の支払い手段（現金やクレジットカード等）を選択して支払いを行うことが確認できたときには（Ｓ８０１でＹｅｓ）、操作中止とならずにプリント指定操作を続行する構成とし、Ｓ１１８の処理が続行することとなる。支払いが無い乃至は行わない場合（Ｎｏ）は操作は中止となる（Ｓ９０１）。端末装置外にエラー情報が送信され（Ｓ９０２）、エラー表示され（Ｓ９０３）、操作は中止となる（Ｓ９０４）。
【００６４】
上記（４）の不正使用、例えば、無線ＩＣチップ８の改造等の場合は、操作は即刻中止となる。更に、不正使用情報が管理コンピューターに送信され、最寄の店員や警備員等に連絡・通報する構成とすることが好ましい。
【００６５】
尚、決済情報書き換え時にエラーが発生した場合は、該エラー情報を送信及び／又は表示して情報端末装置外へ知らせる構成とすることが好ましい。ここで本明細書において「情報端末装置外」とは管理コンピューターや当該情報端末装置の設置されている店舗等の店員・係員等を示す。店員・係員等により現場で即時にエラーに対処（例えば、店舗等のマスター端末装置等で書き換える。）することが好ましい。この際、エラーが発生したユーザーのＩＤ情報等が店員・係員等に送信される構成としておけば、きめ細かな対応がより容易となり好ましい。
【００６６】
決済可能である場合は決済が行われ（Ｓ１１７）、映像記憶媒体から画像情報が読み取られ（Ｓ１１８）、各種プリント指定操作された画像のプリントが行われる（Ｓ１１９）。尚、決済が行われ、プリントが開始される前であれば、ユーザー側の指定により操作を中止できるようにする構成も本発明に包含される。
【００６７】
プリント終了後、情報端末装置１内に読み込まれた画像情報は消去される（Ｓ１２０）。
【００６８】
ユーザーは全ての操作を終了（Ｓ１２１）した後、或いは操作を途中で中止した又はエラーで中止になった場合はその時点で、情報端末装置１の媒体読取部３から映像記憶媒体を抜き取り終了となる。
【００６９】
本発明では、映像記憶媒体と無線ＩＣチップ８との２種類のカード様を取り扱うことになるので、情報端末装置１の媒体読取部３に装填した映像記憶媒体を取り忘れてしまう可能性を有している。従って、取り忘れを防止する構成（Ｓ６０２、Ｓ６０３）を全ての操作が終了（Ｓ１２１）した部分にも付与することが好ましい。
【００７０】
即ち、情報端末装置１による操作終了から所定時間経過した場合や無線ＩＣチップ８が情報端末装置１の操作エリアから離れた場合に、該情報端末装置１に映像記憶媒体が装填されたままの場合、即ち、映像記憶媒体を取り忘れてしまった場合に取り忘れをユーザーに警告する構成を付与することが好ましい。尚、本明細書において「操作エリア」とは情報端末装置１を実質的に操作できる範囲内、具体的には情報端末装置１に手が届いて操作できる範囲内を言うが、姿勢や立つ位置を変える等して手が届かない範囲になったとしても、操作できる領域を確保しており、直ぐに操作できる程度に位置していれば操作エリアに含むものとする。
【００７１】
この取り忘れに対する警告は、ユーザーに向けてに限らず、情報端末装置外に向けての警告、或いは両者に向けての警告であってもよい。ユーザーに向けての場合は、情報端末装置１が警告の音・音声・光を発するようにしてもよいし、店舗内の放送による警告や店舗内の情報表示画面等での警告であってもよい。情報端末装置外に向けての場合は、店員や係員に担当端末装置や近隣の端末装置によって警告することで、店員や係員がユーザーに知らたり、ユーザーが捉まらなかった場合には店舗で預かりユーザー本人に連絡する等して対応できるようにすることが好ましい。これにより、取り忘れた映像記憶媒体を紛失してしまったり、第三者に渡ってしまうことを防止することができる。
【００７２】
情報端末装置外に向けての場合、取り忘れたユーザーの無線ＩＣチップ８及び／又は映像記憶媒体の情報に基づき、ＩＤ情報等のユーザー情報を情報端末装置外へ送信する構成とすることにより、取り忘れたユーザーを特定できるので店員・係員等のきめ細かな対応がより容易となり好ましい。
【００７３】
さらに本発明では、図５に示すように、情報端末装置１を、ユーザーが携帯する無線ＩＣチップ８と送受信するゲート７を配設したエリア（本態様では店舗）内に設置し、ユーザーが映像記憶媒体を情報端末装置１から取り忘れたままエリア外へ出る可能性又はその事態が生じた時、ゲート７が無線ＩＣチップ８を検知してユーザーに警告する構成とすることもできる。この警告についても、前述の操作エリアから離れる場合と同様に、ユーザーに限らず、情報端末装置外である管理コンピューターや店員・係員等に警告する構成とすることもできる。警告手段やユーザー情報の送信についても操作エリアから離れる場合と同様である。尚、本明細書において「エリア」とは、店舗（コンビニエンスストアや量販店等の文字通りの店舗）に限らず、店舗内の特定のコーナー、複数階を有する店舗の特定階、複合店等のコーナー展開の店舗、駅構内や地下街等のコーナー展開の店舗又は単なる情報端末装置単体設置のコーナー等を言うこととする。尚また、本明細書において「エリア外へ出る可能性又はその事態」とは、エリア外へ出ようとゲート７に近付いた時、出る時、出てしまった後、出るつもりはなくてもゲート７に近付いた時を言うこととする。
【図面の簡単な説明】
【００７４】
【図１】本発明の情報端末装置の一実施例を示す概略斜視図
【図２】本発明の情報端末装置の制御系の一実施例を示すブロック図
【図３】本発明の画像プリントシステムの一実施例を説明するフロー図（１／２）
【図４】本発明の画像プリントシステムの一実施例を説明するフロー図（２／２）
【図５】本発明が適用される店舗の一実施例を示すレイアウト図
【符号の説明】
【００７５】
１  情報端末装置
２  画面部
３  媒体読取部
４  リーダー／ライター部
５  ベンディング部
６  プリント取出口
７  ゲート
８  無線ＩＣチップ
【図１】
2006018653.tif 000003
【図２】
2006018653.tif 000004
【図３】
2006018653.tif 000005
【図４】
2006018653.tif 000006
【図５】
2006018653.tif 000007